【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  沸騰水型原子炉圧力容器における炉心スプレーノズル安全端に取付けるためのＴボックスアセンブリ（３２）であって、上記安全端が第１端、第２端及びこの第１端から第２端まで延在するボアを含んでおり、当該Ｔボックスアセンブリ（３２）は、
前記炉心スプレーノズル安全端（４２）の第１端（５４）に係合する形状のＴボックスハウジング（３４）と、
前記炉心スプレーノズル安全端（４２）のボアの表面に係合する形状の十字形ウェッジ（５０）と、
前記十字形ウェッジ（５０）に連結された引締ボルト（５２）とを備え、
前記十字形ウェッジ（５０）は、
貫通ボア（７４）を有する中心部材（７６）と、
前記中心部材（７６）から延在し、一緒にＸ形状をなすよう配置された第１、第２、第３及び第４ウェブ部材（８６，８８，９０，９２）と、
前記第１及び第２ウェブ部材（８６，８８）の第１端間（９８，１００）に延在する第１支持部材（９４）と、
前記第３及び第４ウェブ部材（９０，９２）の第１端間（１０２，１０４）に延在する第２支持部材（９６）とを備え、
前記第１及び第２支持部材（９４，９６）は前記安全端（４２）のボア（５８）に係合する形状とされ、
前記第２と第３ウエブ部材（８８，９０）の第１端部（１００，１０２）間の空間と、前記第４と第１ウエブ部材（９２，８６）の第１端部（１０４，９８）間の空間には支持部材が無い、ことを特徴とするＴボックスアセンブリ（３２）。
【請求項２】  さらに、前記Ｔボックスハウジング（３４）に連結される形状のＴボックスカバープレート（６６）を備え、このカバープレート（６６）は前記引締ボルト（５２）を受け入れる形状のボルト穴（６８）を有し、このボルト穴（６８）に前記引締ボルト（５２）を挿入して前記十字形ウェッジ（５０）を前記Ｔボックスハウジング（３４）に連結することを特徴とする請求項１に記載のＴボックスアセンブリ（３２）。
【請求項３】  前記Ｔボックスハウジング（３４）は第１端（３６）、第２端（３８）、第３端（４０）及びカバー受入れ開口（６４）を有し、前記第１端（３６）及び第２端（３８）は実質的に心合わせされ、かつそれぞれ第１及び第２炉心スプレーヘッダパイプ（１８，２０）と連結する形状とされ、前記第３端（４０）は前記炉心スプレーノズルのボア（７２）内に配置され、かつ炉心スプレーノズルの安全端（４２）の第１端（５４）に係合する形状とされ、前記カバー受入れ開口（６４）は前記Ｔボックスハウジング（３４）の第３端（４０）と実質的に心合わせされ、かつ前記Ｔボックスカバープレート（６６）を受け入れる形状とされたことを特徴とする請求項２に記載のＴボックスアセンブリ（３２）。
【請求項４】  前記Ｔボックスハウジング（３４）の第３端（４０）がさらに複数の位置決めラグ（７０）を有し、これらの位置決めラグ（７０）は前記炉心スプレーノズル（４４）と係合して前記Ｔボックスハウジング（３４）をノズルボア（７２）内にセンタリングする形状とされたことを特徴とする請求項３に記載のＴボックスアセンブリ（３２）。
【請求項６】  前記引締ボルト（５２）は、前記十字形ウェッジ（５０）の中心部材（７６）のボア（７４）に貫通する形状とされ、前記引締ボルト（５２）は第１端（８０）及び第２端（８２）を有し、前記引締ボルト（５２）の第１端（８０）は、前記十字形ウェッジ（５０）の中心部材（７６）のボア（７４）の直径より大きい形状とされたキャップ部分（７８）を有し、前記引締ボルト（５２）の第２端（８２）は、前記Ｔボックスカバープレート（６６）のボルト穴（６８）に貫通し、ナット（８４）にねじ係合する形状とされたことを特徴とする請求項５に記載のＴボックスアセンブリ（３２）。
【請求項６】  前記十字形ウェッジ（５０）のウェブ部材（８６，８８，９０，９２）が流れ抵抗を低減する輪郭をもつ形状とされたことを特徴とする請求項５に記載のＴボックスアセンブリ（３２）。
【請求項７】  原子炉（１０）における炉圧力容器用の炉心スプレーラインアセンブリであって、
第１端（５４）、第２端（５６）及びこの第１端（５４）から第２端（５６）まで延在するボア（５８）を含む炉心スプレーノズル安全端（４２）と、
前記炉心スプレーノズル安全端（４２）に連結する形状のＴボックスアセンブリ（３２）であって、炉心スプレーノズル安全端（４２）の第１端（５４）に係合する形状のＴボックスハウジング（３４）と、前記炉心スプレーノズル安全端（４２）のボア（５８）の表面に係合する形状の十字形ウェッジ（５０）と、前記十字形ウェッジ（５０）に連結された引締ボルト（５２）とを含む、Ｔボックスアセンブリ（３２）とを備え、
前記十字形ウェッジ（５０）は、
貫通ボア（７４）を有する中心部材（７６）と、
前記中心部材（７６）から延在し、一緒にＸ形状をなすよう配置された第１、第２、第３及び第４ウェブ部材（８６，８８，９０，９２）と、
前記第１及び第２ウェブ部材（８６，８８）の第１端間（９８，１００）に延在する第１支持部材（９４）と、
前記第３及び第４ウェブ部材（９０，９２）の第１端間（１０２，１０４）に延在する第２支持部材（９６）とを備え、
前記第１及び第２支持部材（９４，９６）は安全端（４２）のボア（５８）に係合する形状とされ、
前記第２と第３ウエブ部材（８８，９０）の第１端部（１００，１０２）間の空間と、前記第４と第１ウエブ部材（９２，８６）の第１端部（１０４，９８）間の空間には支持部材が無い、ことを特徴とする炉心スプレーラインアセンブリ。
【請求項８】  前記Ｔボックスアセンブリ（３２）は、さらに、前記Ｔボックスハウジング（３４）に連結される形状のＴボックスカバープレート（６６）を備え、このカバープレート（６６）は前記引締ボルト（５２）を受け入れる形状のボルト穴（６８）を有し、このボルト穴（６８）に前記引締ボルト（５２）を挿入して前記十字形ウェッジ（５０）を前記Ｔボックスハウジング（３４）に連結することを特徴とする請求項７に記載の炉心スプレーラインアセンブリ。
【請求項９】  前記Ｔボックスハウジング（３４）は第１端（３４）、第２端（３６）、第３端（３８）及びカバー受入れ開口（６４）を有し、前記第１端（３４）及び第２端（３６）は実質的に心合わせされ、かつそれぞれ第１及び第２炉心スプレーヘッダパイプ（１８，２０）と連結する形状とされ、前記第３端（３８）は前記炉心スプレーノズル（４４）のボア（７２）内に配置され、かつ炉心スプレーノズルの安全端（４４）の第１端（５４）に係合する形状とされ、前記カバー受入れ開口（６４）は前記Ｔボックスハウジング（３４）の第３端（４０）と実質的に心合わせされ、かつ前記Ｔボックスカバープレート（６６）を受け入れる形状とされたことを特徴とする請求項８に記載の炉心スプレーラインアセンブリ。
【請求項１０】  前記Ｔボックスハウジング（３４）の第３端がさらに複数の位置決めラグ（７０）を有し、これらの位置決めラグ（７０）は前記炉心スプレーノズル（４４）と係合して前記Ｔボックスハウジング（３４）をノズルボア（７２）内にセンタリングする形状とされたことを特徴とする請求項９に記載の炉心スプレーラインアセンブリ。
【請求項１１】  前記引締ボルト（５２）は、前記十字形ウェッジ（５０）の中心部材のボア（７４）に貫通する形状とされ、前記引締ボルト（５２）は第１端（８０）及び第２端（８２）を有し、前記引締ボルト（５２）の第１端（８０）は、前記十字形ウェッジ（５０）の中心部材のボア（７４）の直径より大きい形状とされたキャップ部分を（７８）有し、前記引締ボルト（５２）の第２端（８２）は、前記Ｔボックスカバープレート（６６）のボルト穴（６８）に貫通し、ナット（８４）にねじ係合する形状とされたことを特徴とする請求項７に記載の炉心スプレーラインアセンブリ。
【請求項１２】  前記十字形ウェッジ（５０）のウェブ部材（８６，８８，９０，９２）が流れ抵抗を低減する輪郭をもつ形状とされたことを特徴とする請求項１１に記載の炉心スプレーラインアセンブリ。
【手続補正２】
【補正対象書類名】明細書
【補正対象項目名】０００６
【補正方法】変更
【補正の内容】
【０００６】
原子炉圧力容器の安全端を取り外すことなく、炉心スプレーラインの交換を簡単に行うことのできるアセンブリの開発が望まれている。また、簡単に取り外せ、溶接の必要なしに装填できるこの種のアセンブリの開発が望まれている。
【特許文献１】米国特許  第３１３８５３４号  １９６４年６月
【特許文献２】米国特許  第３３８３２８７ 号  １９６８年５月
【特許文献３】米国特許  第３６１３９３６ 号  １９７１年１０月
【特許文献４】米国特許  第４０３２３９８ 号  １９７７年６月
【特許文献５】米国特許  第４１６８０７１ 号  １９７９年９月
【特許文献６】米国特許  第４１９８２７２ 号  １９８０年４月
【特許文献７】米国特許  第４３５６１４７ 号  １９８２年１０月
【特許文献８】米国特許  第４５７６４００ 号  １９８６年３月
【特許文献９】米国特許  第４６９３３８９ 号  １９８７年９月
【特許文献１０】米国特許  第４８３４９３５ 号  １９８９年５月
【特許文献１１】米国特許  第５１７３００９ 号  １９９２年１２月
【特許文献１２】米国特許  第５３４５４８４ 号  １９９４年９月
【特許文献１３】米国特許  第５７３７３８０ 号  １９９８年４月
【特許文献１４】米国特許  第５７８５３６１ 号  １９９８年７月
【特許文献１５】米国特許  第５８１５５４２ 号  １９９８年９月
【特許文献１６】米国特許  第５８３９１９２ 号  １９９８年１１月
【特許文献１７】米国特許  第５９０１１９２ 号  １９９９年５月
【特許文献１８】米国特許  第５９１２９３６ 号  １９９９年６月
【特許文献１９】米国特許  第５９４７５２９ 号  １９９９年９月
【特許文献２０】ドイツ国特許  第２８２９５９０号  １９８０年１月